(57)【要約】【課題】手軽にメモ帳を使いたいが、メモ帳を取り出し、手に持って記帳するのが面倒な場合が多い。メモ用紙もホルダも取り付け取り外しは容易だが、簡単には外れないこと。常時つけていても見栄えが悪くないことを課題とする。【解決手段】下敷きとメモ用紙の外周３辺を押さえる可撓性樹脂板とを１辺で固着したメモ用紙ホルダの対辺２辺の近傍に、ネックレスなど装飾に使われているシャレた細いチェーンを通す直径の複数の小穴を設け、指や手首あるいは腕時計などを利用して、チェーンのたるみがなくなるように引掛ける。【選択図】        図２
2004276482.tif 000002
【特許請求の範囲】
【請求項１】
下敷となる１枚の薄板にメモ用紙を挟んで保持する手段を有するメモ用紙ホルダにおいて、対辺となる２辺の近傍には２個以上の小穴もしくは切りかきがあり、前記穴もしくは切かきに細いチェーンまたは細い紐を通し、前記チェーンまたは紐を指や手首や腕時計などに引っ掛けることにより、手のひらまたは手の甲などに前記下敷となる薄板を保持することができるメモ用紙ホルダ。
【請求項２】
請求項１に記載したメモ用紙を挟んで保持する手段として、メモ用紙の押さえは可撓性の樹脂製薄板で、下敷となる薄板の少なくとも一辺に固着され、用紙装着時にはメモ用紙の外周四辺のうち三辺の辺の一部か辺全部を押さえ、チェーンなどメモ用紙ホルダを保持する手段で、用紙押さえが開かないようロックすることができるメモ用紙のクリップ構造。
【発明の詳細な説明】
【０００１】
【発明が属する技術分野】
この発明は、手に容易に取り付けて手軽に筆記することができるメモ用紙保持ホルダと、穴のないメモ用紙を簡単に着脱するためのクリップ構造に関する。
【０００２】
【従来の技術】
従来よりメモといえば、メモ帳を片手で持ちもう一方の手でペンを持ち記帳している。従って、片手がふさがっていると、しゃがんで膝の上とかメモ帳を置く台のようなものを探すなど不便があり、置くだけでなく筆圧の移動でメモ帳自体が動くのを押さえる手段も必要であった。
胸ポケットでメモホルダを保持した発明に特開Ｈ１１−１２９６６３、手の甲にバンドでメモホルダを取り付けた発明に特開Ｈ１０−０１６４９１がある。
またメモ用紙の簡易保持の仕方で、可撓性樹脂ホルダの中央上部に作った切りかき舌片で固定した発明に、２００２−２６４５７３がある。
【０００３】
【発明が解決しようとする課題】
買いたい物など複数の目的物をメモっておきたい、簡単な筆算をしたい、目的地までの所要時間を記録しておきたいなど、手軽にメモ帳を使いたいが、メモ帳を取り出し、手に持って記帳するのが面倒な場合が多い。常にメモ帳を持ち歩くのは、片手がふさがるし、手に縛りつけるのは見栄えがよくない。
従来技術の特開Ｈ１１−１２９６６３では、胸のポケットがメモ専用となり、他のものを入れられないという制約条件ができ、特開Ｈ１０−０１６４９１では、腕時計などを一緒に付けにくいという制約条件ができる。
【０００４】
本発明は、腕時計やブレスレットなど腕に巻かれる装飾具を利用して容易に取り付けられるメモ用紙ホルダで、下記の課題を解決させる。
手のひらまたは手の甲へのメモ用紙ホルダの取り付け取り外しが容易なこと。
メモ用紙ホルダにメモ用紙が容易に取り付けられ、簡単には外れないこと。
メモは、備忘録としても使うため、常時つけていても見栄えが良いこと。
【０００５】
【課題を解決するための手段】
図１にメモ用紙ホルダの一実施例と、取り付け用チェーンのイメージ図を示すように、メモ用紙ホルダの対辺となる２辺の近傍に、細いチェーンＣＨＮ  または紐を通すことができる直径の複数の小穴ＨＯＬ  をメモ用紙ホルダＭＰＨ  に設ける。
図２に手のひら装着の一実施例を示すように、細いチェーンＣＨＮ  または紐を、実装の時ホルダの外周側を手のひらに押し付けるように小穴に通し、指や手首などにチェーンのたるみがなくなるように引掛けることで、手のひらなどにメモ用紙ホルダを容易に取り付け、取り外すことができる。
【０００６】
また、図１に一実施例を示すメモ用紙押さえとなる薄板ＨＬＤ  は可撓性の透明な樹脂製で、下敷となる薄板ＰＬＳ  の一辺ＨＷＤ  部分で固着されており、用紙装着時にメモ用紙ＰＰＲ  の外周三辺を押さえる枠状部分だけなので、容易にメモ用紙をＰＬＳ  との間に挟み、装着することができる。
また、図２に一実施例を示すように、固着辺の対辺の近傍では、押さえとなる薄板ＨＬＤ  の切りかき穴に下敷となる薄板ＰＬＳ  の方に力がかかるようにチェーンまたは紐を引掛けることで、押さえの薄板ＨＬＤ  が簡単に開かないようロックでき、メモ用紙を押さえつけるので、メモ用紙ＰＰＲ  は簡単には外れない。更にメモ用紙には、裏に部分的に糊のついたノートパッドを利用する。
【０００７】
また、図２に手のひら装着の一実施例を示すように、薄板の切りかき穴に通すチェーンまたは紐を、ネックレスとかブレスレットなど装飾に使われているシャレたものを利用することで、お洒落な感覚を楽しむことができ、手の甲側からはメモ用紙の装着がわからない。
【０００８】
【発明の実施の形態】
図１にメモ用紙ホルダの一実施例とチェーンのイメージ図を示す。メモ用紙ホルダは、厚さが０．５ｍｍで、５ｃｍ角と同じ外回り寸法の透明軟質樹脂板２枚で、１枚が下敷きＰＬＳ  、１枚が用紙押さえＨＬＤ  となっており、２枚が重なっている一辺を幅２ｍｍの熱溶着ＨＷＤ  で固着している。
用紙押さえとなる薄板ＨＬＤ  は、固着辺を含むメモ用紙ＰＰＲ  の３辺を、５ｍｍ幅で押さえてメモ用紙を保持している。
図１でメモ用紙ホルダの熱溶着されている辺と、対辺となる２辺の近傍には、直径３ｍｍの小穴ＨＯＬ  が６個あいている。更に外周から穴に向かって切りかきＣＵＴ  があり、チェーンなどを小穴ＨＯＬ  を縫って通さなくても、切りかきＣＵＴ  部分から挿入しやすくしてある。
メモ用紙ＰＰＲ  には、裏に部分的に糊のついたノートパッドを利用すると良い。またチェーンＣＨＮ  は、ペンダントに使われているφ１．６ｍｍ、長さ４０５ｍｍのフックＨＯＫ  付ボールチェーンが見栄えが良い。
【０００９】
図２に手のひら装着の一実施例を示す。細いチェーンＣＨＮ  または紐を、実装時に外周側を下敷きＰＬＳ  の方向へ押し付けるように小穴ＨＯＬ  に通し、指や手首などにチェーンのたるみがなくなるように引掛けるだけで、手のひらなどにメモ用紙ホルダを容易に保持することができ、メモ用紙ＰＰＲ  に手のひら上で筆記することができる。
図２の手のひら装着実施例の手の甲側イメージ図に示すように、手の甲側には中指部分と手首部分に細いチェーンＣＨＮ  または紐が見えるだけで、メモ用紙は見えないので、前記チェーンなどを肌に近い色にすれば目立たないし、目立ってもリングとブレスレットの感覚で身に付けていられる。
【００１０】
【実施例】
図３に手の甲装着の一実施例イメージ図を示す。図２装着実施例と同じメモ用紙ホルダＭＰＨ  とチェーンＣＨＮ  を手の甲側に装着した実施例である。
手のひら側に何かを持っているときや、車の運転中信号待ちの短い時間にハンドルに手をおいたままメモする場合などに便利である。携帯電話の場合は、電話機を耳から離して記帳する必要があるが、メモを見ながら話すことはできる。
【００１１】
図４に腕時計利用手のひら装着の一実施例イメージ図を示す。図２と違うのは腕に装着されている腕時計に引っ掛けるので、手の甲側からチェーンＣＨＮ  が見えるのは、中指の部分だけになる。手首に回すのに比べて、短いチェーンでよく、図４では長さ３００ｍｍのフック付ボールチェーンを使用した。
腕時計の代わりに、ブレスレットなどでもよい。
【００１２】
図５に腕時計利用手の甲装着の一実施例イメージ図を示す。
【００１３】
【発明の効果】
記帳面積は狭いが、メモ用紙・メモ用紙ホルダの着脱が容易で、サイズ違いの交換もでき、手のひら・手の甲への着脱・移動も容易にでき、字数の少ない文字の記帳や数字の一時記録、筆算などには適している。
記帳や備忘録としてだけでなく、短区間電車乗車時に、切符を手のひらとメモ用紙ホルダＭＰＨ  との間に挟んでおけば、ポケットなどから落としたり、入れ場所を忘れて探すこともなく、重宝する。
【図面の簡単な説明】
【図１】メモ用紙ホルダの一実施例とチェーンのイメージ図
【図２】手のひら装着一実施例と手の甲側イメージ図
【図３】手の甲装着一実施例イメージ図
【図４】腕時計利用手のひら装着一実施例イメージ図
【図５】腕時計利用手の甲装着一実施例イメージ図
【符号の説明】
ＣＵＴ：切り欠き；チェーンを小穴に端から通さなくても挿入できる
ＨＯＬ：穴；φ３ｍｍの穴でφ１．６ｍｍのチェーンを通しホルダを保持する小穴
ＨＬＤ：用紙押さえの厚さ０．５ｍｍ可撓性薄板；メモ用紙の３辺を押さえる
ＨＷＤ：熱溶着による下敷きと用紙押さえの固着部分
ＭＰＨ：メモ用紙ホルダ；外形５０ｍｍ角２枚の薄板で間にメモ用紙を挟む
ＰＬＳ：下敷きの薄板
ＰＰＲ：メモ用紙；外形５０ｍｍ＊３８ｍｍノートパッド
ＣＨＮ：くさり；φ１．６ｍｍ、長さ４０５ｍｍボールチェーンなど
ＨＯＫ：かぎ；ボールチェーンの一端にあるリングに引っ掛けるフック
【図１】
2004276482.tif 000003
【図２】
2004276482.tif 000004
【図３】
2004276482.tif 000005
【図４】
2004276482.tif 000006
【図５】
2004276482.tif 000007